(57)【要約】【課題】ベビーカーへの着脱が容易で、ベビーカー本体に対する蚊帳の封鎖性を高めた蚊帳付き日除け、ベビーカーを提供することを目的とする。【解決手段】本発明の蚊帳付き日除け１０は、乳児用シート又は幼児用シートのシートフレームを二分割した一方に沿って密着して取付可能な第１可動フレーム２２と、前記第１可動フレーム２２の端部の回転軸２８ａと揺動自在に接続する第２可動フレーム２４と、前記回転軸２８ａと揺動自在に接続して前記第１及び第２可動フレームの間で揺動自在な複数の追従フレーム２６を有して前記シートフレームを覆う展開状態から折り畳み状態へ折り畳み可能なフレーム本体２０と、前記第１可動フレーム２２から前記追従フレーム２６を介して前記第２可動フレーム２４に亘って生地部を張り合わせた日除け３０と、一端側を前記日除け３０の内側であって前記追従フレーム２６の枠に沿って密着して固定し、他端側を前記シートフレームを二分割した他方に沿って密着して着脱可能な蚊帳４０と、を備えたことを特徴としている。【選択図】    図１
2018065449.tif 000002
【特許請求の範囲】
【請求項１】
乳児用シート又は幼児用シートのシートフレームに密着して扇状に展開可能な展開部を有する日除けと、
前記日除けの内側に取り付けて、前記日除けと前記シートフレームの間を塞ぐ蚊帳を備えたことを特徴とする蚊帳付き日除け。
【請求項２】
前記展開部は、乳児用シート又は幼児用シートのシートフレームを二分割した一方に沿って密着して取付可能な第１可動フレームと、前記第１可動フレームの端部の回転軸と揺動自在に接続する第２可動フレームと、前記第１及び第２可動フレームの間で前記回転軸の軸回りを揺動自在な複数の追従フレームを有して前記シートフレームを覆う展開状態から折り畳み状態へ折り畳み可能なフレーム本体と、前記第１可動フレームから前記追従フレームを介して前記第２可動フレームに亘って張り合わせた生地部を有し、
前記蚊帳は、一端側を前記日除けの内側であって前記追従フレームの枠に沿って密着して固定し、他端側を前記シートフレームを二分割した他方に沿って密着して着脱可能なことを特徴とする請求項１に記載の蚊帳付き日除け。
【請求項３】
前記展開部は、乳児用シート又は幼児用シートのシートフレームを二分割した箇所の回転軸と揺動自在に接続する可動フレームと、前記可動フレームを間に挟んで前記回転軸の軸回りを揺動自在な複数の追従フレームを有して前記シートフレームを覆う展開状態から折り畳み状態へ折り畳み可能なフレーム本体と、前記可動フレームから前記追従フレームに亘って張り合わせた生地部を有し、
前記蚊帳は、一端側を前記日除けの内側であって前記可動フレームの枠に沿って密着して固定し、他端側を前記シートフレームに沿って密着して着脱可能なことを特徴とする請求項１に記載の蚊帳付き日除け。
【請求項４】
前記展開部は、乳児用シート又は幼児用シートのシートフレームを二分割した箇所の回転軸に両端を揺動自在に接続する複数の円弧体をスライドさせて展開状態から折り畳み状態へ折り畳み可能とし、
前記蚊帳は、一端側を前記日除けの内側であって前記円弧体に沿って密着して固定し、他端側を前記シートフレームに沿って密着して着脱可能なことを特徴とする請求項１に記載の蚊帳付き日除け。
【請求項５】
容器状の乳児用シートの上面開口に沿って枠状に形成した乳児用のシートフレーム、又は幼児用シートの座部と背部の側面及び下面側を覆う生地が外枠に沿って密着する乳幼児のシートフレームと、
前記請求項１ないし４のいずれか１に記載の蚊帳付き日除けを備えたことを特徴とするベビーカー。
【発明の詳細な説明】
【技術分野】
【０００１】
本発明は、乳幼児を直射日光から守る日除けと、蚊などの虫から守る蚊帳のいずれの機能も有するベビーカー用の蚊帳付き日除け、蚊帳付き日除けを備えたベビーカーに関する。
【背景技術】
【０００２】
従来、乳幼児を着座又は寝かせて移動するベビーカーが広く利用されている。
このようなベビーカーには、乳幼児を直射日光から保護する日除け付きのベビーカーや、蚊などの虫の侵入を防ぐ蚊帳付きのベビーカーなどがある。
【０００３】
特許文献１には、ベビーカーの上から被せて容易に全体を覆うことができるベビーカー用蚊帳が開示されている。
【０００４】
特許文献２には、大きさの異なるベビーカーに適用可能な日除け又は虫除けの機能を有するベビーカー用補助カバーが開示されている。
【先行技術文献】
【特許文献】
【０００５】
【特許文献１】特開２０００−１５９１２２号公報
【特許文献２】特開２００９−２６２５９５号公報
【発明の概要】
【発明が解決しようとする課題】
【０００６】
しかしながら特許文献１に開示の蚊帳は取付けが容易であるが、日除けが蚊帳の内側に配置されてしまう。このため、日除けを調整するには、蚊帳の開口を開けなければならず、日除けの調整作業が煩雑の上、作業中に虫が侵入するおそれがあった。
【０００７】
また蚊帳の大きさに適したベビーカーでなければならず、例えば蚊帳が大きすぎる場合には移動中に蚊帳の下部が車輪に引っかかり移動の妨げとなり、蚊帳が小さすぎる場合には車輪が蚊帳からはみ出てしまい蚊の侵入のおそれなどの不具合があった。
【０００８】
特許文献２に開示の蚊帳は、紐などを用いてベビーカー本体に取り付けているため、乳幼児の乗せ降ろしには紐を解かなければならず、煩雑な作業となっていた。また、蚊帳がベビーカー本体を完全に密閉する構成ではなく、僅かながらの隙間が生じている。このため、その隙間から蚊などの虫が侵入するおそれがあった。
【０００９】
上記従来技術の問題点に鑑み、本発明は、ベビーカーへの着脱が容易で、ベビーカー本体に対する蚊帳の封鎖性を高めた蚊帳付き日除け、ベビーカーを提供することを目的としている。
【課題を解決するための手段】
【００１０】
上記課題を解決するための第１の手段として、本発明は、乳児用シート又は幼児用シートのシートフレームに密着して扇状に展開可能な展開部を有する日除けと、前記日除けの内側に取り付けて、前記日除けと前記シートフレームの間を塞ぐ蚊帳を備えたことを特徴とする蚊帳付き日除けを提供することにある。
上記構成の第１の手段によれば、乳幼児用シートのシートフレームに隙間なく蚊帳付き日除けを取り付けることができる。また、蚊帳をシートフレームに容易に着脱することができる。さらに、蚊帳の外側に日除けを配置しているため、蚊帳の使用中であっても容易に日除けを開閉調整することができる。
【００１１】
上記課題を解決するための第２の手段として、本発明は、上記第１の手段において、前記展開部は、乳児用シート又は幼児用シートのシートフレームを二分割した一方に沿って密着して取付可能な第１可動フレームと、前記第１可動フレームの端部の回転軸と揺動自在に接続する第２可動フレームと、前記第１及び第２可動フレームの間で前記回転軸の軸回りを揺動自在な複数の追従フレームを有して前記シートフレームを覆う展開状態から折り畳み状態へ折り畳み可能なフレーム本体と、前記第１可動フレームから前記追従フレームを介して前記第２可動フレームに亘って張り合わせた生地部を有し、前記蚊帳は、一端側を前記日除けの内側であって前記追従フレームの枠に沿って密着して固定し、他端側を前記シートフレームを二分割した他方に沿って密着して着脱可能なことを特徴とする蚊帳付き日除けを提供することにある。
上記構成の第２の手段によれば、乳幼児用シートのシートフレームに隙間なく蚊帳付き日除けを取り付けることができる。また、蚊帳をシートフレームに容易に着脱することができる。さらに、蚊帳の外側に日除けを配置しているため、蚊帳の使用中であっても容易に日除けを開閉調整することができる。
【００１２】
上記課題を解決するための第３の手段として、本発明は、第１の手段において、前記展開部は、乳児用シート又は幼児用シートのシートフレームを二分割した箇所の回転軸と揺動自在に接続する可動フレームと、前記可動フレームを間に挟んで前記回転軸の軸回りを揺動自在な複数の追従フレームを有して前記シートフレームを覆う展開状態から折り畳み状態へ折り畳み可能なフレーム本体と、前記可動フレームから前記追従フレームに亘って張り合わせた生地部を有し、前記蚊帳は、一端側を前記日除けの内側であって前記可動フレームの枠に沿って密着して固定し、他端側を前記シートフレームに沿って密着して着脱可能なことを特徴とする請求項１に記載の蚊帳付き日除けを提供することにある。
上記構成の第３の手段によれば、乳幼児用シートのシートフレームに隙間なく蚊帳付き日除けを取り付けることができる。また、蚊帳をシートフレームに容易に着脱することができる。さらに、蚊帳の外側に日除けを配置しているため、蚊帳の使用中であっても容易に日除けを開閉調整することができる。
【００１３】
上記課題を解決するための第４の手段として、本発明は、第１の手段において、前記展開部は、乳児用シート又は幼児用シートのシートフレームを二分割した箇所の回転軸に両端を揺動自在に接続する複数の円弧体をスライドさせて展開状態から折り畳み状態へ折り畳み可能とし、前記蚊帳は、一端側を前記日除けの内側であって前記円弧体に沿って密着して固定し、他端側を前記シートフレームに沿って密着して着脱可能なことを特徴とする請求項１に記載の蚊帳付き日除け。を提供することにある。
上記構成の第４の手段によれば、乳幼児用シートのシートフレームに隙間なく蚊帳付き日除けを取り付けることができる。また、蚊帳をシートフレームに容易に着脱することができる。さらに、蚊帳の外側に日除けを配置しているため、蚊帳の使用中であっても容易に日除けを開閉調整することができる。
【００１４】
上記課題を解決するための第５の手段として、本発明は、容器状の乳児用シートの上面開口に沿って枠状に形成した乳児用のシートフレーム、又は幼児用シートの座部と背部の側面及び下面側を覆う生地が外枠に沿って密着する乳幼児のシートフレームと、前記蚊帳付き日除けを備えたことを特徴とするベビーカーを提供することにある。
上記構成の第５の手段によれば、上記効果を備えたベビーカーを提供することができる。
【発明の効果】
【００１５】
本発明の蚊帳付き日除け、ベビーカーによれば、乳幼児用シートのシートフレームに隙間なく蚊帳付き日除けを取り付けることができる。また、蚊帳をシートフレームに容易に着脱することができる。
【図面の簡単な説明】
【００１６】
【図１】本発明の蚊帳付き日除けの説明図であり、（１）は斜視図、（２）は揺動軸部の説明図、（３）は蚊帳を張って日除けを展開した側面図、（４）は蚊帳を張って日除けを折り畳んだ側面図である。
【図２】本発明の乳児用シートを備えたベビーカーの説明図であり、（１）は蚊帳付き日除けの日除けを折り畳んだ状態の斜視図、（２）は蚊帳付き日除けを展開した状態の斜視図、（３）は蚊帳付き日除けを取り付ける前のベビーキャリアの斜視図である。
【図３】本発明の幼児用シートを備えたベビーカーの説明図であり、（１）は蚊帳付き日除けの日除けを折り畳んだ状態の斜視図、（２）は蚊帳付き日除けを展開した状態の斜視図、（３）は蚊帳付き日除けを取り付ける前のベビーキャリアの斜視図である。
【図４】変形例１の蚊帳付き日除けの説明図である。
【図５】変形例２の蚊帳付き日除けの説明図である。
【発明を実施するための形態】
【００１７】
本発明の蚊帳付き日除け、ベビーカーの実施形態を添付の図面を参照しながら、以下詳細に説明する。
【００１８】
［蚊帳付き日除け１０］
図１は本発明の蚊帳付き日除けの説明図であり、（１）は斜視図、（２）は揺動軸部の説明図、（３）は蚊帳を張って日除けを展開した側面図、（４）は蚊帳を張って日除けを折り畳んだ側面図である。
図示のように蚊帳付き日除け１０は、展開部となるフレーム本体２０と日除け３０と蚊帳４０を主な基本構成としている。
フレーム本体２０は、第１及び第２可動フレーム２２，２４と、複数の追従フレーム２６と、揺動軸部２８を備えている。
【００１９】
第１及び第２可動フレーム２２，２４は、ベビーカー１００の乳児用シート５００の枠状のシートフレーム５１０又は幼児用シート４００の枠状のシートフレーム４１０を二分割したほぼＵ字状のフレームである。第１及び第２可動フレーム２２，２４はいずれも、シートフレーム５１０，４１０よりも僅かに大きく、内側をシートフレーム５１０，４１０の外周に沿って嵌め合わせることにより、着脱可能に取り付けることができる。
【００２０】
第１及び第２可動フレーム２２，２４は、Ｕ字状の両端を揺動軸部２８に取り付けている。揺動軸部２８は回転軸２８ａに取付片２８ｂと一対の支持部２８ｃを回転自在に取り付けた構成である。取付片２８ｂは、後述する乳幼児シートの固定部５４０，４８０に挿入して着脱可能に固定するものである。一対の支持部２８ｃは第１及び第２可動フレーム２２，２４の両端を差し込んで着脱可能に固定するものである。このような構成の揺動軸部２８は、回転軸２８ａ周りを支持部２８ｃが回転可能とし、第１可動フレーム２２に対する第２可動フレーム２４の間の成す角を任意の角度で固定することができる。第１及び第２可動フレーム２２，２４を近づけると折り畳み状態となり、第１及び第２可動フレーム２２，２４の間の成す角を１８０度にすると展開状態となる。
【００２１】
追従フレーム２６は、第１及び第２可動フレーム２２，２４よりも細い部材を用いてほぼ同じ形状に形成し、第１及び第２可動フレーム２２，２４の間に複数設けている。本実施形態の追従フレーム２６は、第１及び第２可動フレーム２２，２４のあいだに４本、展開したときにほぼ等間隔となるように取り付けている。
【００２２】
日除け３０は、遮光性の生地部３２を備え、フレーム本体２０が展開状態の時に、第１及び第２可動フレーム２２，２４に亘って追従フレーム２６を覆うように取り付けている。生地部３２は、両端を折り畳んで形成したループ内に第１及び第２可動フレーム２２，２４を差し込んで固定し、追従フレーム２６は、展開状態のときにほぼ等間隔となる位置に縫い付けて固定している。
【００２３】
蚊帳４０は空気を通して、蚊などの虫を通さない網である。蚊帳４０は、日除け３０の内部であって、展開状態の追従フレーム２６の内、最も起伏した追従フレーム２６のＵ字枠にそって一端を縫い付けて固定している。そして蚊帳４０の他端は、二分割したシートフレーム５１０，４１０の他方の形状、換言するとＵ字状のフレームの外周に沿って密着するように着脱テープなどの着脱手段を用いて着脱可能に構成している。なお着脱手段は、この他にも着脱可能な構成であれば、ゴム、フック等を用いることができる。また、蚊帳４０の一端を固定した追従フレーム２６には、ストラップ（不図示）を設けて、蚊帳４０を使用しない場合、蚊帳４０を他端側から巻き上げてストラップで固定することができる。
このような構成の蚊帳付き日除け１０は、折り畳み式のベビーカー１００の展開状態から折り畳み状態の移行に沿って第１及び第２可動フレーム２２，２４を重ね合わせることにより折り畳むことができる。
【００２４】
［乳児用シートを備えたベビーカー１００］
図２は本発明の乳児用シートを備えたベビーカーの説明図であり、（１）は蚊帳付き日除けの日除けを折り畳んだ状態の斜視図、（２）は蚊帳付き日除けを展開した状態の斜視図、（３）は蚊帳付き日除けを取り付ける前のベビーキャリアの斜視図である。本発明のベビーカー１００は、ベビーカー本体２００と、乳児用シート５００を備えている。
【００２５】
ベビーカー本体２００は、前脚２２０と、後脚２４０と、アームレスト２６０をそれぞれ左右に一対配置して、さらにハンドル２８０を備えている。
前脚２２０は下端に前輪２２０ａを備え、上端を後脚２４０側へ湾曲させて後脚２４０の上端付近に回動可能に接続している。
後脚２４０は下端に後輪２４０ａを備え、上端がアームレスト２６０と回動可能に接続している。
【００２６】
アームレスト２６０は、前脚２２０および後脚２４０の上端を覆い、後端がハンドル２８０と回動可能に接続した部材である。アームレスト２６０の上面側は緩やかな湾曲形状に形成し、後脚２４０が接続する箇所の上方に乳児用シート５００の取付部を設けている。
ハンドル２８０は、一対の直線部２８０ａと直線部２８０ａを連結する中間部２８０ｂからなり、ほぼＵ字状に形成されている。ハンドル２８０は側面視で上端の中間部２８０ｂ側を後方へ湾曲させている。
【００２７】
乳児用シート５００は、シートフレーム５１０と、生地５３０とからなり主に乳児の寝台として機能する。シートフレーム５１０は、乳児を収容可能な容器状に形成した生地５３０の上面開口の周縁に沿って接続している。乳児用シート５００は側面に蚊帳付き日除け１０の取付片２８ｂを挿入して取付可能な固定部５４０を設けている。
【００２８】
乳児用シート５００を備えたベビーカー１００へ本発明の蚊帳付き日除け１０を取り付ける場合、まず、乳児用シート５００の固定部５４０に取付片２８ｂを挿入して固定する。ついで第１可動フレーム２２を乳児用シート５００の二分割したシートフレーム５１０の一方に嵌め合わせて固定する。そして第２可動フレーム２４を起伏させると日除け３０が展開する。日除け３０内部の蚊帳４０は、一端が追従フレーム２６に密着して固定されており、他端を二分割したシートフレーム５１０の他端に沿って取り付けると乳児用シート５００を日除け３０及び蚊帳４０によって隙間なく覆うことができ、封鎖性を高めることができる（図２（１））。
また、蚊帳４０を展開した状態のまま、外側の日除け３０を容易に展開することができる（図２（２））。
【００２９】
本発明のベビーカーによれば、乳児用シートのシートフレームに隙間なく蚊帳付き日除けを取り付けることができる。また、蚊帳をシートフレームに容易に着脱することができる。
【００３０】
［幼児用シートを備えたベビーカー１００Ａ］
図３は本発明の幼児用シートを備えたベビーカーの説明図であり、（１）は蚊帳付き日除けの日除けを折り畳んだ状態の斜視図、（２）は蚊帳付き日除けを展開した状態の斜視図、（３）は蚊帳付き日除けを取り付ける前のベビーキャリアの斜視図である。本発明のベビーカー１００Ａは、ベビーカー本体２００Ａと、幼児用シート４００を備えている。
【００３１】
ベビーカー本体２００Ａは、前脚２２０Ａと、後脚２４０Ａを左右に一対配置して、さらにハンドル２８０Ａを備えている。
前脚２２０Ａは下端に前輪２２０ａを備え、上端をシートフレーム４１０に接続している。
後脚２４０Ａは下端に後輪２４０ａを備え、上端がシートフレーム４１０と回動可能に接続している。
【００３２】
幼児用シート４００は、シートフレーム４１０と、座部４２０と、背部４４０と、足置き４６０からなる。幼児が着座する座部４２０と、背もたれとなる背部４４０の接続箇所は折り畳み構造とし、座部４２０の先端側はシートフレーム４１０に固定している。シートフレーム４１０は、平面視で細長の枠状フレームであり、下端側に足置き４６０を取り付け、先端が前脚２２０Ａと接続している。またシートフレーム４１０と、座部４２０と、背部４４０と、足置き４６０の間には生地４５０を張り合わせてあり隙間が生じないように構成している。シートフレーム４１０の中間部分には、蚊帳付き日除け１０の取付片２８ｂを挿入して取付可能な固定部４８０を設けている。
【００３３】
ハンドル２８０Ａは、一対の直線部２８０ａと直線部２８０ａを連結する中間部２８０ｂからなり、ほぼＵ字状に形成されている。ハンドル２８０Ａの先端側はシートフレーム４１０の中間部分に接続している。ハンドル２８０Ａは側面視で上端の中間部２８０ｂ側を後方へ湾曲させている。
【００３４】
幼児用シート４００を備えたベビーカー１００Ａへ本発明の蚊帳付き日除け１０を取り付ける場合、まず、幼児用シート４００の固定部４８０に取付片２８ｂを挿入して固定する。ついで第１可動フレーム２２を幼児用シート４００の二分割したシートフレーム４１０の一方に嵌め合わせて固定する。そして第２可動フレーム２４を起伏させると日除け３０が展開する。日除け３０内部の蚊帳４０は、一端が追従フレーム２６に密着して固定されており、他端を二分割したシートフレーム４１０の他端に沿って取り付けると幼児用シート４００を日除け３０及び蚊帳４０によって隙間なく覆うことができ、封鎖性を高めることができる（図３（１））。
また、蚊帳４０を展開した状態のまま、外側の日除け３０を容易に展開することができる（図３（２））。
【００３５】
このような本発明のベビーカーによれば、幼児用シートのシートフレームに隙間なく蚊帳付き日除けを取り付けることができる。また、蚊帳をシートフレームに容易に着脱することができる。
【００３６】
［変形例１］
図４は変形例１の蚊帳付き日除けの説明図であり、（１）は日除け及び蚊帳の展開状態の側面図、（２）は日除けの一部折り畳んだ側面図である。
変形例１の蚊帳付き日除け１０Ａは、展開部となるフレーム本体２０Ａと日除け３０と蚊帳４０を主な基本構成としている。
フレーム本体２０Ａは、可動フレーム２２Ａと、複数の追従フレーム２６と、揺動軸部２８を備えている。
【００３７】
可動フレーム２２Ａは、ベビーカー１００の乳児用シート５００の枠状のシートフレーム５１０又は幼児用シート４００の枠状のシートフレーム４１０を二分割したほぼＵ字状のフレームである。
【００３８】
可動フレーム２２Ａは、Ｕ字状の両端を揺動軸部２８に取り付けている。揺動軸部２８は回転軸２８ａに取付片２８ｂと支持部２８ｃを回転自在に取り付けた構成である。取付片２８ｂは、後述する乳幼児シートの固定部５４０，４８０に挿入して着脱可能に固定するものである。支持部２８ｃは可動フレーム２２Ａの両端を差し込んで着脱可能に固定するものである。このような構成の揺動軸部２８は、回転軸２８ａ周りを支持部２８ｃが回転可能とし、可動フレーム２２Ａを任意の角度で固定することができる。
【００３９】
追従フレーム２６は、可動フレーム２２Ａよりも細い部材を用いてほぼ同じ形状に形成し、可動フレーム２２Ａを挟むように複数設けている。本実施形態の追従フレーム２６は、可動フレーム２２Ａを中心として４本、展開したときにほぼ等間隔となるように取り付けている。
【００４０】
日除け３０は、遮光性の生地部３２を備え、フレーム本体２０が展開状態の時に、可動フレーム２２Ａと追従フレーム２６を覆うように取り付けている。生地部３２は、両端を折り畳んで形成したループ内に外側の追従フレーム２６を差し込んで固定し、内側の追従フレーム２６及び可動フレーム２２Ａは、展開状態のときにほぼ等間隔となる位置に縫い付けて固定している。
【００４１】
蚊帳４０は空気を通して、蚊などの虫を通さない網である。蚊帳４０は、日除け３０の内部であって、可動フレーム２２ＡのＵ字枠にそって一端を縫い付けて固定している。そして蚊帳４０の他端は、二分割したシートフレーム５１０，４１０の他方の形状、換言するとＵ字状のフレームの外周に沿って密着するように着脱テープなどの着脱手段を用いて着脱可能に構成している。なお着脱手段は、この他にも着脱可能な構成であれば、ゴム、フック等を用いることができる。また、蚊帳４０の一端を固定した追従フレーム２６には、ストラップ（不図示）を設けて、蚊帳４０を使用しない場合、蚊帳４０を他端側から巻き上げてストラップで固定することができる。
【００４２】
このような構成の蚊帳付き日除け１０Ａは、図４（１）から（２）に示すように日除け３０及び蚊帳４０の展開状態から日除け３０の一部を折り畳み状態に移行した際、折り畳んだ追従フレーム２６を仮止めする止め具５０を設けている。この止め具５０は、任意角度の固定された可動フレーム２２Ａに追従フレーム２６を固定できるものであれば良く、面ファスナー、ホック、フック等を用いることができる。
【００４３】
［変形例２］
図５は変形例２の蚊帳付き日除けの説明図であり、（１）は日除け及び蚊帳の展開状態の側面図、（２）は日除けの一部折り畳んだ側面図である。
変形例２の蚊帳付き日除け１０Ｂは、展開部となる複数の円弧体６０を有する日除け３０と蚊帳４０を主な基本構成としている。
【００４４】
変形例２の展開部は、展開したときのドーム状の日除けを側面視で円弧状に複数分割した円弧体６０を用いている。円弧体は、所定の剛性を備えており、一例として、材質にプラスチック樹脂、金属、複合的に合成を備えた生地等を適用することができる。円弧体６０は、両端を揺動軸部２８に取り付けている。揺動軸部２８は回転軸２８ａに取付片２８ｂと一対の支持部２８ｃを回転自在に取り付けた構成である。取付片２８ｂは、後述する乳幼児シートの固定部５４０，４８０に挿入して着脱可能に固定するものである。一対の支持部２８ｃは円弧体６０の両端を差し込んで着脱可能に固定するものである。このような構成の揺動支持部２８は、回転軸２８ａ周りを支持部２８ｃが回転可能とし、隣り合う円弧体６０どうしが一部重なり合うようにスライドして任意の角度で固定することができる。
【００４５】
蚊帳４０は空気を通して、蚊などの虫を通さない網である。蚊帳４０は、日除け３０の内部であって、円弧体６０の円弧にそって一端を縫い付けて固定している。そして蚊帳４０の他端は、二分割したシートフレーム５１０，４１０の他方の形状、換言するとＵ字状のフレームの外周に沿って密着するように着脱テープなどの着脱手段を用いて着脱可能に構成している。なお着脱手段は、この他にも着脱可能な構成であれば、ゴム、フック等を用いることができる。また、蚊帳４０の一端を固定した円弧体６０には、ストラップ（不図示）を設けて、蚊帳４０を使用しない場合、蚊帳４０を他端側から巻き上げてストラップで固定することができる。
【００４６】
このような構成の蚊帳付き日除け１０Ａは、図５（１）から（２）に示すように日除け３０及び蚊帳４０の展開状態から日除け３０の一部を折り畳み状態に移行した際、折り畳んだ円弧体が重なるようにスライドして任意の位置で固定することができる。
【産業上の利用可能性】
【００４７】
本発明は、特にベビーカー、チャイルドシートなどの乳幼児を対象とした分野において産業上の利用可能性を有する。
【符号の説明】
【００４８】
１０，１０Ａ，１０Ｂ………蚊帳付き日除け、２０，２０Ａ………フレーム本体、２２………第１可動フレーム、２２Ａ………可動フレーム、２４………第２可動フレーム、２６………追従フレーム、３０………日除け、３２………生地部、４０………蚊帳、５０………止め具、６０………円弧体、１００，１００Ａ………ベビーカー、２００，２００Ａ………ベビーカー本体、２２０，２２０Ａ………前脚、２２０ａ………前輪、２４０，２４０Ａ………後脚、２４０ａ………後輪、２６０………アームレスト、２８０，２８０Ａ………ハンドル、４００………幼児用シート、４１０………シートフレーム、４２０………座部、４４０………背部、４６０………足置き、４８０………固定部、５００………乳児用シート、５１０………シートフレーム、５３０………生地。
【図１】
2018065449.tif 000003
【図２】
2018065449.tif 000004
【図３】
2018065449.tif 000005
【図４】
2018065449.tif 000006
【図５】
2018065449.tif 000007